(57)【要約】【課題】ソフトバッグ内の液状栄養剤の容量や残量を、一見して速やかにかつ確実に視認できる液状栄養剤用バッグを提供する。【解決手段】液状栄養剤用バッグ１は、表側フィルム１０ａとこれに向き合った裏側フィルム１０ｂとからなり、液状栄養剤が封入されるソフトバッグ１０と、それの下端部に設けられた流出ポート３とを有するものであり、表側フィルム１０ａは、液状栄養剤を視認できる透明部分１２を有し、裏側フィルム１０ｂは、インジケータ１３を有し、インジケータ１３は、透明部分１２から視認されたときに液状栄養剤に隠蔽され、又は透明部分１２から液状栄養剤を介して視認されることで、液状栄養剤の容量及び／又は残量に応じた液状栄養剤の液面の位置を確認することができるものであり、透明部分１２には、液状栄養剤の容量及び／又は残量を示す目盛１４ａが付されており、目盛１４ａはインジケータ１３に対向して設けられている。【選択図】図１
2017056091.tif 000002
【特許請求の範囲】
【請求項１】
表側フィルムとこれに向き合った裏側フィルムとからなり、上端部と下端部とを有し、液状栄養剤が封入されるソフトバッグと、前記下端部に設けられた流出ポートとを、有する液状栄養剤用バッグであって、
前記表側フィルムは、少なくとも一部に前記液状栄養剤を視認できる透明部分を有し、
前記裏側フィルムは、少なくとも前記上端部側から前記下端部側に延びるインジケータを有し、
前記インジケータは、前記透明部分から視認されたときに前記液状栄養剤に隠蔽され、又は前記透明部分から前記液状栄養剤を介して視認されることで、前記液状栄養剤の容量及び／又は残量に応じた前記液状栄養剤の液面の位置を確認することができるものであり、
前記透明部分には、前記液状栄養剤の容量及び／又は残量を示す目盛が付されており、前記目盛は少なくとも一部が前記インジケータに対向して設けられている液状栄養剤用バッグ。
【請求項２】
前記透明部分は、前記表側フィルムの一部分に設けられた内視窓である請求項１に記載の液状栄養剤用バッグ。
【請求項３】
前記目盛が並列した複数の目盛線からなり、前記複数の目盛線の各々は前記液体栄養剤の液面と平行であり、かつ一部のみが前記インジケータと交わっている請求項１又は２に記載の液状栄養剤用バッグ。
【請求項４】
前記裏側フィルムは、前記透明部分を介して視認できる不透明背景部を有し、前記不透明背景部は、前記インジケータと並び、かつ前記目盛に対向して設けられている請求項１から３のいずれかに記載の液状栄養剤用バッグ。
【請求項５】
前記表側フィルムは、前記目盛が設けられた部分以外の部分に不透明の情報記載欄が設けられ、かつ前記裏側フィルムは、少なくとも前記情報記載欄が対向する部分が透明であり、かつ前記情報記載欄に対向する部分に前記液状栄養剤の容量及び／又は残量を示すサブ目盛が設けられている請求項１から４のいずれかに記載の液状栄養剤用バッグ。
【請求項６】
前記表側フィルムと前記裏側フィルムとを噛み合わせて留めるファスナーを、前記上端部に有する請求項１から５のいずれかに記載の液状栄養剤用バッグ。
【請求項７】
前記液状栄養剤が、前記ソフトバッグに封入されている請求項１から６のいずれかに記載の液状栄養剤用バッグ。
【発明の詳細な説明】
【技術分野】
【０００１】
本発明は、手術直後の患者、寝たきりの患者のように摂食障害のある患者の消化管や静脈に、液状の栄養剤を、直接投与して栄養補給するのに用いられる液状栄養剤用バッグに関するものである。
【背景技術】
【０００２】
食道癌摘出のような消化器外科手術や脳外科手術の直後の患者、脳梗塞後遺症や認知症のような神経障害・高齢で寝たきりの患者は、消化管機能が保たれているが嚥下機能に障害があるために経口摂食できない。このような患者は、鼻腔や胃瘻・空腸瘻から胃や腸等の消化管、又は末梢静脈や中心静脈に挿入したカテーテルを介して、消化性の良い経腸栄養剤のような液状栄養剤を直接投与して、生体維持に必要な栄養が補給される。
【０００３】
液状栄養剤は、メーカーによって調製され、樹脂製フィルムで作製された流出ポート付き可撓性ソフトバッグに封入されて販売されている。また液状栄養剤は、例えば看護師のような医療従事者、介護施設の職員、及び在宅医療における患者の家族等のような作業者により用時に調製された後、開閉自在のファスナーと、流出ポートとを有するソフトバッグに注入される。その後このファスナーを閉じることにより、液状栄養剤がソフトバッグに封入される。これらソフトバッグをスタンドに懸け吊ってから、カテーテルを流出ポートに繋ぎ、さらにこれを胃瘻等に繋ぐ。それにより、ソフトバッグ内の液状栄養剤は重力にしたがって落下し、カテーテルを経由して患者の体内へ投与される。
【０００４】
このような液状栄養剤を封入するためのソフトバッグとして、大略矩形の２枚の同形フィルムを揃えその周囲部分をヒートシールで貼り合わせて袋状に形成し、その長方形の略対角線上の位置に、吊下げ用開口と内容物注出口とが配置されており、充填された液状内容物を、輸液チューブを介して患者に投与するための輸液袋が、特許文献１に開示されている。
【０００５】
さらに、ソフトバッグの底部が自立可能な形状と吊り下げ用の穴とを有し、且つその穴の対角線上の上部にスパウトを有し、投与の際に内容物である流動食の液量を視認できるように、透明な窓に目盛を設けた流動食用バックが、特許文献２に開示されている。
【先行技術文献】
【特許文献】
【０００６】
【特許文献１】特開２００２−９５７２１号公報
【特許文献２】実用新案登録第３０７２４６４号公報
【発明の概要】
【発明が解決しようとする課題】
【０００７】
作業者は、患者に適切に投与が行われていることを監視する必要があるので、適時に液状栄養剤の残量を確認しなければならない。この確認は、ソフトバッグの表面に設けられた目盛を目視することによって行われる。また、液状栄養剤が用時に調製される場合、患者に投与すべき量を投与開始前に確認するのに、この目盛が用いられることがある。
【０００８】
一方、液状栄養剤は、例えば水分やカロリーやビタミン補給を目的とした成分調整輸液である場合には無色透明や淡色の透明を呈していたり、タンパク質や糖質を含む流動食である場合には乳白色ないし淡黄色を呈していたりする。
【０００９】
特許文献２のように透明な窓に目盛を設けたソフトバッグを用いた場合、液状栄養剤が呈する色の所為でそれの液面を視認し難く、ソフトバッグ内の液状栄養剤の容量や残量を、一見して速やかに確認することができない。このことは、作業者の作業負担を増大させたり、液状栄養剤の投与量ミスを誘発させたりする原因となっている。
【００１０】
本発明は前記の課題を解決するためになされたもので、ソフトバッグ内の液状栄養剤の容量や残量を、一見して速やかにかつ確実に視認できる液状栄養剤用バッグを提供することを目的とする。
【課題を解決するための手段】
【００１１】
前記の目的を達成するためになされた本発明の液状栄養剤用バッグは、表側フィルムとこれに向き合った裏側フィルムとからなり、上端部と下端部とを有し、液状栄養剤が封入されるソフトバッグと、前記下端部に設けられた流出ポートとを、有する液状栄養剤用バッグであって、前記表側フィルムは、少なくとも一部に前記液状栄養剤を視認できる透明部分を有し、前記裏側フィルムは、少なくとも前記上端部側から前記下端部側に延びるインジケータを有し、前記インジケータは、前記透明部分から視認されたときに前記液状栄養剤に隠蔽され、又は前記透明部分から前記液状栄養剤を介して視認されることで、前記液状栄養剤の容量及び／又は残量に応じた前記液状栄養剤の液面の位置を確認することができるものであり、前記透明部分には、前記液状栄養剤の容量及び／又は残量を示す目盛が付されており、前記目盛は少なくとも一部が前記インジケータに対向して設けられているものである。
【００１２】
液状栄養剤用バッグは、前記透明部分が前記表側フィルムの一部分に設けられた内視窓であることが好ましい。
【００１３】
液状栄養剤用バッグは、前記目盛が並列した複数の目盛線からなり、前記複数の目盛線の各々は前記液体栄養剤の液面と平行であり、かつ一部のみが前記インジケータと交わっているものであってもよい。
【００１４】
液状栄養剤用バッグは、前記裏側フィルムが前記透明部分を介して視認できる不透明背景部を有し、前記不透明背景部が前記インジケータと並び、かつ前記目盛に対向して設けられているものであることが好ましい。
【００１５】
液状栄養剤用バッグは、前記表側フィルムのうち、前記目盛が設けられた部分以外の部分に不透明の情報記載欄が設けられ、かつ前記裏側フィルムは、少なくとも前記情報記載欄が対向する部分が透明であり、かつ前記情報記載欄に対向する部分に前記液状栄養剤の容量及び／又は残量を示すサブ目盛が設けられているものであってもよい。
【００１６】
液状栄養剤用バッグは、前記表側フィルムと前記裏側フィルムとを噛み合わせて留めるファスナーを、前記上端部に有するものであることが好ましい。
【００１７】
液状栄養剤用バッグは、前記液状栄養剤が前記ソフトバッグに封入されているものであってもよい。
【発明の効果】
【００１８】
本発明の液状栄養剤用バッグは、液状栄養剤の容量及び／又は残量に応じ、インジケータによってそれの液面を明瞭に視認できるようになっているので、液面の位置を一見して明確に示すことができる。
【００１９】
この液状栄養剤用バッグは、液状栄養剤の容量及び／又は残量を示す目盛を有しているので、液状栄養剤の容量及び／又は残量に応じ、インジケータが液状栄養剤によって隠蔽され又は液状栄養剤を介して視認されることにより、目盛を用いた液状栄養剤の容量及び／又は残量の確認を簡易にすることができる。
【００２０】
この液状栄養剤用バッグは、簡素な構造で、インジケータによって液面を確実に示すことができるので、作業者は、液状栄養剤の容量及び／又は残量を認知して、投与終了時を正確に予測したり、投与終了を確実に確認したりすることができる。
【００２１】
またこの液状栄養剤用バッグによれば、インジケータによって液状栄養剤の色調が無色ないし淡色の透明であっても乳白色ないし淡色の不透明であっても、液状栄養剤の液面を、確実に検知して視認することができる。
【００２２】
この液状栄養剤用バッグは、内視窓を介して視認できる不透明背景部がインジケータに並んで付されているものであると、両者の色相の差異によってインジケータが一層目立って視認されるとともに、不透明背景部が目盛を見易いように目立たせることができる。それによって、液状栄養剤の液面位置と、それの容量及び／又は残量との確認を簡易にすることができる。
【００２３】
この液状栄養剤用バッグは、裏側フィルムにサブインジケータ及びサブ目盛を有しているものであると、液状栄養剤用バッグの視認方向を問うことなく、液状栄養剤の液面位置や容量及び／又は残量を確認することができる。
【００２４】
この液状栄養剤用バッグは、表側フィルムと裏側フィルムとを留めるファスナーを有しているものであると、用時に調製された液状栄養剤を封入することができる。
【図面の簡単な説明】
【００２５】
【図１】本発明を適用する液状栄養剤用バッグの正面図である。
【図２】本発明を適用する液状栄養剤用バッグに液状栄養剤が封入されている状態を示す正面図である。
【図３】本発明を適用する液状栄養剤用バッグに封入された液状栄養剤が流出している状態を経時的に示す正面図である。
【図４】本発明を適用する液状栄養剤用バッグの製造途中の一例を示す斜視図である。
【図５】本発明を適用する液状栄養剤用バッグを用いて患者に液状栄養剤を投与している状態を示す斜視図である。
【図６】本発明を適用する別な液状栄養剤用バッグの正面図である。
【図７】本発明を適用する別な液状栄養剤用バッグの正面図である。
【発明を実施するための形態】
【００２６】
以下、本発明を実施するための形態を詳細に説明するが、本発明の範囲はこれらの形態に限定されるものではない。
【００２７】
本発明の液状栄養剤用バッグ１の一態様を図１に示す。同図（ａ）は液状栄養剤用バッグ１の正面を、同図（ｂ）はそれの背面を夫々示している。
【００２８】
液状栄養剤用バッグ１は、大略矩形の外形をなしているソフトバッグ１０と、下端部に設けられた流出ポート３とを有している。流出ポート３は筒状をなしており、液状栄養剤用バッグ１の内部に連通している。流出ポート３にキャップ４が、液密となるように螺合されている。
【００２９】
ソフトバッグ１０は、表側フィルム１０ａと裏側フィルム１０ｂとが、それらの全周縁部で熱融着されることによって形成された袋である。そのため液状栄養剤用バッグ１は、表側フィルム１０ａと裏側フィルム１０ｂとが液密に密着した帯状の融着部１１を周縁部に有している。なお、ソフトバッグ１０は、筒状のシートが上下端部を熱融着されることで形成されるものであってもよい。表側フィルム１０ａ及び裏側フィルム１０ｂは、柔軟な樹脂製の透明フィルムによって、形成されている。ソフトバッグ１０の上端部の上端辺部１１ａの中央に懸吊穴２ａが、下端部の下端辺部１１ｂの両隅部に位置決め穴２ｂが、夫々貫通して開けられている。下端辺部１１ｂで、流出ポート３が熱融着されている。
【００３０】
表側フィルム１０ａは、露出面側に、その一部を除いて不透明な有彩色の色調が印刷されることにより内視窓１２が形成されている。内視窓１２を介して液状栄養剤用バッグ１の内部を外界から視認することができるので、封入された液状栄養剤２０を視認することができる（図２参照）。この内視窓１２は、長尺向きに縦長部位１２ａとそれに直交する幅広の横長部位１２ｂとが連結した略逆Ｌ字形をなしている。なお、表側フィルム１０ａは、特に、内視窓が設けられておらず、全体が透明又は少なくとも一部が透明部分を有するものであってもよい。
【００３１】
表側フィルム１０ａの露出面側で透明な内視窓１２の縦長部位１２ａに、黒色の目盛１４が印刷によって付されている。この目盛１４は、並列に設けられた複数の目盛線１４ａからなる。この目盛１４は液状栄養剤２０の液面２０ａと平行に設けられている（図２参照）。また、目盛１４に沿って、各目盛線１４ａと液面２０ａが重なったときに液状栄養剤２０の容量を示す数値１４ｂが印刷されている。
【００３２】
裏側フィルム１０ｂには、その露出面側に表側フィルム１０ａのような有彩色の背景が印刷されていない。そのため、後に述べるインジケータ１３、不透明背景部１５、及びサブ目盛１８を除いて、それの面積の大部分が透明である。
【００３３】
裏側フィルム１０ｂには、その露出面側に黒色の不透明なインジケータ１３が印刷によって付されている。インジケータ１３は、ソフトバッグ１０の上端部側から下端部側に延びた線条をなしている。インジケータ１３は、表側フィルム１０ａ側から内視窓１２を介して視認されるものであるが、表側フィルム１０ａ及び裏側フィルム１０ｂを介するため若干薄い黒色で視認することができる。インジケータ１３は、目盛線１４ａの一部に対向しつつこれに直交して視認される。インジケータ１３は、目盛線１４ａの長さよりも細い線条をなしていることによって、目盛線１４ａは、インジケータ１３に部分的に重なって視認される。このインジケータ１３は、液状栄養剤用バッグ１に封入された液状栄養剤２０の液面２０ａの位置を示すものである（図２参照）。
【００３４】
なお、インジケータ１３は黒色に限られないが、濃厚な色であることが好ましい。また、インジケータ１３は、少なくともソフトバッグ１０の上端部側から下端部側に延びるものであれば、細い線条のものに限られず、太い線条、長方形、三角形、円形のようなものであってもよい。また、目盛線１４ａは、インジケータ１３の幅より長いものではなく、それの一部のみがインジケータ１３と交わるものであってもよい。また、インジケータ１３は、印刷ではなく、紙や樹脂で作製したものを貼付して設けてもよい。
【００３５】
裏側フィルム１０ｂには、その露出面側に白色の不透明背景部１５が、インジケータ１３を取り囲むように、印刷によって付されている。不透明背景部１５は、略逆Ｌ字形をなしている内視窓１２の縦長部位１２ａに対向していることにより、黒色の目盛線１４ａの一部及び数値１４ｂは、不透明背景部１５と重なって視認される。それにより不透明背景部１５は、目盛１４を読み取り易いように目立たせている。
【００３６】
なお、不透明背景部１５は、目盛１４の一部及び数値１４ｂを視認され易くするように、インジケータ１３と並んでいるものであれば、特にインジケータ１３を取り囲むものでなくてもよい。また、不透明背景部１５の色は、目盛１４の一部及び数値１４ｂを目立たせることができる色であれば白色でなくてもよい。また、不透明背景部１５は、印刷ではなく、紙や樹脂で作製したものを貼付して設けてもよい。
【００３７】
表側フィルム１０ａには、その露出面側に白色の情報記載欄１６が、印刷によって付されている。情報記載欄１６は略矩形をなしている。情報記載欄１６は、目盛１４が設けられた部分以外の部分に設けられ、本実施形態においては、内視窓１２とソフトバッグ１０の周縁である一方の側辺部１１ｃとの間に付されている。情報記載欄１６上は、患者名、日付、時間、成分、及び／又は用量のように、液状栄養剤２０を患者に投与するのに必要な情報を任意に、例えば手書き又は印刷等によって記載できるものである。
【００３８】
なお、情報記載欄１６の色は、後で述べるサブ目盛１８を目立たせることができる色であれば白色でなくてもよい。また、情報記載欄１６は、印刷ではなく、紙や樹脂で作製したものを貼付して設けてもよい。
【００３９】
表側フィルム１０ａには、その露出面側に黒色の不透明なサブインジケータ１７が、印刷により付されている。本実施形態では、情報記載欄１６の長辺の一つに接しつつ表側フィルム１０ａの露出面側に付されている。このサブインジケータ１７は、液面２０ａの位置をインジケータ１３と同様にして、裏側フィルム１０ｂ側で視認されるものである。サブインジケータ１７は、表側フィルム１０ａ及び裏側フィルム１０ｂを介して視認されるため若干薄い黒色で、情報記載欄１６とともに視認することができる。また、情報記載欄１６及びサブインジケータ１７に対向するように、サブ目盛１８が裏側フィルム１０ｂの露出面側に付されている。サブ目盛１８の目盛線の一部は、サブインジケータ１７に対向している。サブ目盛１８もまた、目盛１４と同様に液状栄養剤２０の容量を示すことができる。
【００４０】
なお、サブインジケータ１７の色は黒色に限られないが、濃厚な色であることが好ましい。また、サブインジケータ１７は、少なくともソフトバッグの上端部側から下端部側に延びるものであれば、インジケータ１３と同様に形状は限定されるものではない。また、サブインジケータ１７は、印刷ではなく、紙や樹脂で作製したものを貼付して設けてもよい。また、サブインジケータ１７は、情報記載欄１６の長辺の一つに接せず、これから離れているものであってもよい。
【００４１】
目盛１４及びサブ目盛１８は、図１に示すように液状栄養剤２０の容量を示す降順に形成してもよいが、投与された量を示す昇順に形成してもよい。
【００４２】
表側フィルム１０ａ及び裏側フィルム１０ｂに、液状栄養剤２０の情報１９ａ，１９ｂが互いに対向するように夫々付されており、表側フィルム１０ａに、液状栄養剤用バッグ１の情報１９ｃが付されている。情報１９ａ，１９ｂ，１９ｃは、例えばメーカー名、商品名、製品番号、容量、及び／又は使用上の注意を挙げることができる。なお表側フィルム１０ａ上の情報１９ｃは、不透明な印刷色調の上に印刷されているので、裏側フィルム１０ｂ側から視認できない。
【００４３】
上記のインジケータ１３等は、すべて表側フィルム１０ａ及び裏側フィルム１０ｂの外面に付されている。それによって、インジケータ１３等を形成しているインク等が液状栄養剤２０に、溶出しない。
【００４４】
液状栄養剤用バッグ１は、上端部側に、表側フィルム１０ａ及び裏側フィルム１０ｂ同士を噛み合わせて留める一対のファスナー７が、表側フィルム１０ａ及び裏側フィルム１０ｂの内面に取り付けられている。ファスナー７は、長尺の溝ファスナー７ａと突起ファスナー７ｂとが噛み合ったり、離反したりすることによって、自在に開け閉めできるものである。
【００４５】
液状栄養剤用バッグ１は、上端辺部１１ａとファスナー７との間の表側フィルム１０ａに、開封帯５がファスナー７と平行に設けられている。開封帯５は、表側フィルム１０ａに、２本の平行する肉薄部や切込部を設けたり、長い肉厚部を設けたりすることによって、表側フィルム１０ａから細長く切り取られるものである。開封帯５が切り取られることにより、液状栄養剤用バッグ１は、その位置で開封される。また、開封帯５の一端には、摘み６が形成されており、摘み６が引っ張られることにより、表側フィルム１０ａが切り取られ易くなる。
【００４６】
なお、開封帯５は、液状栄養剤用バッグ１が、予め液状栄養剤を充填しているものである場合には不要である。
【００４７】
以下、液状栄養剤用バッグ１の使用方法を説明する。図２に、液状栄養剤２０が液状栄養剤用バッグ１に封入されている状態を示す。同図（ａ）は表側フィルム１０ａ側の正面を、同図（ｂ）は裏側フィルム１０ｂ側の背面を夫々示している。同図は、調製された液状栄養剤２０が、患者に投与される直前の状態を示している。流出ポート３に、チューブ４２の一端に接続されたバッグ側コネクタ４１が螺合している。この流出ポート３からチューブ４２へ液状栄養剤２０が流出し、患者の体内、特に消化管に流入する。液状栄養剤２０は、タンパク質、糖質、及び脂質等を含み、約１００〜３０，０００ｍＰａ・ｓの粘度に調製された流動食であり、乳白色を呈している。
【００４８】
液状栄養剤用バッグ１は、液状栄養剤２０が注入される際には、開封帯５によって開封される。液状栄養剤用バッグ１は、液状栄養剤２０が注入された後に、ファスナー７によって閉じられる。それによって、液状栄養剤用バッグ１の内部は、流出ポート３を除いて外界から遮断されている。
【００４９】
インジケータ１３のうち、液状栄養剤用バッグ１に封入された液状栄養剤２０の液面２０ａよりも上端辺部１１ａ側が内視窓１２を介して視認可能な可視部１３ａであり、液面２０ａよりも下端辺部１１ｂ側が乳白色の液状栄養剤２０によって隠蔽されている隠蔽部１３ｂである。黒色である可視部１３ａと隠蔽部１３ｂとは、乳白色である液状栄養剤２０との互いに異なる色相同士のコントラストにより、液面２０ａを境界として明確に識別されるので、インジケータ１３は、液面２０ａの位置を一見して視認できるように目立たせることができる。
【００５０】
このように、インジケータ１３と液状栄養剤２０との色相が、互いに異なっていると、両者の色相の差異によって、液面２０ａの位置を一層目立たせて視認し易くすることができる。
【００５１】
さらに液面２０ａの下端辺部１１ｂ寄りの目盛線１４ａ２は、隠蔽部１３ｂによりインジケータ１３に重ならずに視認され、一方、液面２０ａ上端辺部１１ａ寄りの目盛線１４ａ１は、液面２０ａと、可視部１３ａによりインジケータ１３の一部とに重なって視認され、互いが対比的に目立ち合っている。そのため目盛１４は、液面２０ａとの重なりだけでなくこのような対比によっても、読み取ることができるので、液状栄養剤２０の容量を一見して明確に示すことができる。
【００５２】
また裏側フィルム１０ｂの大部分は透明であるので、液状栄養剤２０の成分分離や異物混入を目視によって即座に判別できる。
【００５３】
このように液状栄養剤用バッグ１は、内視窓１２を介して視認されるインジケータ１３を有していることにより、液状栄養剤２０の液面２０ａの位置を明確に示すとともに、目盛１４の読み取りを簡易にしている。それにより作業者は、液状栄養剤２０の容量を遠目からでも一見して速やかにかつ確実に把握することができる。さらにこの液状栄養剤用バッグ１は、インジケータ１３によって液状栄養剤２０の投与量ミスを効果的に防止することができる。
【００５４】
液状栄養剤２０が乳白色を呈している流動食である例を示したが、液状栄養剤２０は、茶色や褐色のように比較的濃色を呈していてもよい。この場合、インジケータ１３が液状栄養剤２０によって隠蔽された隠蔽部１３ｂを有することに加えて、液面２０ａよりも下端辺部１１ｂ寄りの目盛１４は、視認し難い。液面２０ａよりも上端辺部１１ａ寄りの目盛１４は、明確に視認されるので、両者の対比によっても液面２０ａの位置を確認することができる。
【００５５】
また液状栄養剤２０は、水分やカロリーやビタミン補給を目的とした例えば無色透明又は淡色の透明を呈している成分調整輸液であってもよい。この場合、インジケータ１３の液面２０ａよりも下端辺部１１ｂ側のインジケータ１３は、隠蔽されることなく、液状栄養剤２０を介して視認される。このとき、液状栄養剤２０の透明度の高低や、液状栄養剤２０を通じた屈折によって、液状栄養剤２０と重なって視認されるインジケータ１３は、滲んで見えたり、歪んで見えたりする。その結果作業者は、液面２０ａよりも上端辺部１１ａ側で、液状栄養剤２０を介することなく視認されるインジケータ１３と明確に対比して両者の差異を視認することができる。このようにインジケータ１３が、液状栄養剤２０を介して視認される場合であっても、液面２０ａの位置を一見して確認することができる。
【００５６】
さらに、サブインジケータ１７及びサブ目盛１８は、インジケータ１３及び目盛１４と同様の機能及び効果を発現することによって、液状栄養剤用バッグ１が裏側フィルム１０ｂ側から視認された場合であっても、液面２０ａの位置や液状栄養剤２０の容量を一見して確認できるようにしている。それにより、液状栄養剤用バッグ１の向きに依らずに確認作業を行うことができるので、この液状栄養剤用バッグ１は、液状栄養剤の容量や残量の確認作業を簡素にし、作業者の作業負担を軽減することができる。
【００５７】
図３に、液状栄養剤２０の投与開始後の経時的変化を示す。同図は、表側フィルム１０ａ側のみを示し、裏側フィルム１０ｂ側を省略している。同図（ａ）は、液状栄養剤２０の投与序盤の状態を示している。このとき、インジケータ１３の大部分は、液状栄養剤２０によって隠蔽された隠蔽部１３ｂとなっているので、内視窓１２から視認されるインジケータ１３の可視部１３ａの面積はごくわずかである。それによってインジケータ１３は、作業者に投与継続の必要性を示すことができる。
【００５８】
図３（ｂ）に示すように投与中盤において、インジケータ１３の可視部１３ａの面積は同図（ａ）のそれに比較して増大し、投与が進んでいることを示している。このとき、未だインジケータ１３に重なっていない目盛線１４ａ２と、これに一部重なっている目盛線１４ａ１とが、それら同士の対比によって一見して確認できることから、作業者は投与継続の必要性を認識できる。
【００５９】
図３（ｃ）に示すように投与終盤において、インジケータ１３がすべて視認可能となり、すべての目盛線１４ａがインジケータ１３に重なっている。それに加えて内視窓１２の下部である横長部位１２ｂは、ソフトバッグ１０の内部の底部を広い範囲にわたって視認可能にしているので、作業者は液状栄養剤２０の全量が患者に投与されたことを、目視によって速やかに確認することができる。
【００６０】
投与が完了すると、内視窓１２から液状栄養剤２０が視認できなくなり、液状栄養剤用バッグ１は陰圧になって萎み、表側フィルム１０ａと裏側フィルム１０ｂとが密着する。
【００６１】
図３（ａ）〜（ｃ）から分かるように、液状栄養剤２０が流出ポート３から患者の体内へと流出するのに伴って、液面２０ａが下端辺部１１ｂへと近づいていくことに応じ、内視窓１２から視認できる可視部１３ａの面積が徐々に広くなり、かつインジケータ１３と交差して視認される目盛線１４ａ１の数が増加していく。このようにインジケータ１３は、液面２０ａの位置を目立たせるだけでなく、視認される面積の増加や、交差する目盛線１４ａの数によって、液状栄養剤２０の残量を経時的に示すことができる。なお同図において、表側フィルム１０ａ側のみ示したが、サブインジケータ１７及びサブ目盛１８についても、裏側フィルム１０ｂ側で、インジケータ１３及び目盛１４と同様に機能し、同様に作用する。
【００６２】
液状栄養剤用バッグ１は、常法によって製造することができる。液状栄養剤用バッグ１は、必要に応じて高圧蒸気滅菌のような滅菌処理が施される。またソフトバッグ１０は、自立できるようなガゼット袋でもよい。
【００６３】
なお、液状栄養剤用バッグ１は、例えば図４に示すようにして製造されてもよい。
【００６４】
図５に、液状栄養剤用バッグ１が経腸栄養投与に用いられている一例を示す。なお同図は、数値１４ｂ及び情報１９ａ，１９ｂ，１９ｃを省略している。
【００６５】
液状栄養剤用バッグ１は、スタンド３０のフック３１に懸吊穴２ａが通されることにより、懸け吊られる。キャップ４が取り外されて、チューブ４２の一端に設けられたバッグ側コネクタ４１が、流出ポート３に液密に接続される。作業者は、表側フィルム１０ａ側から摘み６を摘みあげ、表側フィルム１０ａから離反するように摘み６を引っ張る。それにより表側フィルム１０ａから開封帯５が一直線に切り取られて、液状栄養剤用バッグ１が開封される。
【００６６】
さらに、ファスナー７が開かれて液状栄養剤用バッグ１が開口する。作業者は、クレンメ４３を締めた後、別な計量容器で予め調製された液状栄養剤２０を液状栄養剤用バッグ１に注入し、ファスナー７を閉じて液状栄養剤２０を液状栄養剤用バッグ１に封入する。それにより液状栄養剤用バッグ１の下端辺部１１ｂ側は、緩やかに膨らんでいる。このとき、クレンメ４３によってチューブ４２は閉塞しているので、液状栄養剤２０はチューブ４２を通じて流出しない。
【００６７】
作業者は、クレンメ４３を徐々に緩めて液状栄養剤２０を、経鼻や胃瘻などの経管投与により患者に投与する。なお投与の際には、自然落下のほか、ポンプを用いてもよい。
【００６８】
図６に液状栄養剤用バッグ１の別な形態を示す。液状栄養剤用バッグ１は、液状栄養剤２０が液状栄養剤用バッグ１に予め封入されているものであり、ファスナー７のような液状栄養剤用バッグ１を開閉自在にする機構を必要としない。同図（ａ）に示すように、表側フィルム１０ａに、液面２０ａを視認できる透明な内視窓１２が設けられている。上端辺部１１ａの一方の隅に懸吊穴２ａが開いている。内視窓１２は、懸吊穴２ａを有しない上端辺部１１ａの他方の隅から、下端辺部１１ｂに向かい、一方の側辺部１１ｃに沿いつつ、一方の側辺部１１ｃの全長の下方側の途中まで真直ぐ延びて、縦長部位１２ａを形成している。内視窓１２は、そこから下端辺部１１ｂの中央部へ向かって流出ポート３の近傍に至るまで緩やかに湾曲して、湾曲部位１２ｃを形成している。
【００６９】
図６（ｂ）に示すように、裏側フィルム１０ｂのうち、内視窓１２に対向する位置に黒色のインジケータ１３が付されている。それによって同図（ａ）に示すように、乳白色を呈している液状栄養剤２０の液面２０ａの上方で、インジケータ１３の可視部１３ａを視認することができる。その結果、インジケータ１３は、液面２０ａの位置を目立たせて、投与継続の必要性及び投与完了を明示することができる。さらに、内視窓１２の縁１２ｄが、白色に縁取られている。この縁１２ｄにより、黒色のインジケータ１３や、表側フィルム１０ａの表面に印刷された黄色、桃色、赤色、及び／又は緑色等の目立つ有彩色の背景と、液状栄養剤２０との色調の差異が目立ち、液面２０ａをより一層目立たせることができる。
【００７０】
図７に液状栄養剤用バッグ１の別な形態を示す。液状栄養剤用バッグ１は、図６に示す液状栄養剤用バッグ１と同様に、予め液状栄養剤２０が封入されているものである。図７（ａ）に示すように、上端辺部１１ａの一方の隅に懸吊穴２ａが開いている。下端辺部１１ｂと一方の側辺部１１ｃとの間で、キャップ４を嵌めている流出ポート３が、熱融着されている。内視窓１２は、懸吊穴２ａと流出ポート３とを結んだ対角線Ｄに沿って、下端辺部１１ｂ側の途中まで、真直ぐ伸びて、縦長部位１２ａを形成している。内視窓１２は、そこから流出ポート３の近傍に至るまで緩やかに湾曲して、湾曲部位１２ｃを形成している。白地に黒色の数値が配置された目盛１４が、内視窓１２内に付されている。
【００７１】
図７（ｂ）に示すように、裏側フィルム１０ｂのうち、内視窓１２の全面に対向する位置に黒色のインジケータ１３が付されている。それによって同図（ａ）に示すように、乳白色を呈している液状栄養剤２０の液面２０ａの上方で、インジケータ１３の可視部１３ａを視認することができる。それによりインジケータ１３は、液面２０ａの位置を明示できる。しかもインジケータ１３は、内視窓１２の全面に対向しているので、目盛１４は、インジケータ１３の可視部１３ａに取り囲まれ、それら同士の色相の差異によって一層目立っている。
【００７２】
この液状栄養剤用バッグ１は、スタンド３０（図５参照）に懸け吊られた際、自重によって傾く。そのため目盛１４は、水平に沿って視認されるので、判読し易い。投与完了直前において、液状栄養剤用バッグ１は、懸け吊られて傾いているので、液面２０ａが、内視窓１２の湾曲部位１２ｃから視認されるようになる。そのため、液面２０ａの幅が広く視認されるので、投与完了が間近であることを明確に確認できる。
【産業上の利用可能性】
【００７３】
本発明の液状栄養剤用バッグは、摂食障害のある患者へ鼻腔や胃瘻から胃等の消化管に投与する経鼻栄養投与・経腸栄養投与の際に、用いられる。
【符号の説明】
【００７４】
１：液状栄養剤バッグ、２ａ：懸吊穴、２ｂ：位置決め穴、３：流出ポート、３ａ：台座、４：キャップ、５：開封帯、６：摘み、７：ファスナー、７ａ：溝ファスナー、７ｂ：突起ファスナー、１０：ソフトバッグ、１０ａ：表側フィルム、１０ｂ：裏側フィルム、１１：融着部、１１ａ：上端辺部、１１ｂ：下端辺部、１１ｃ：一方の側辺部、１２：内視窓、１２ａ：縦長部位、１２ｂ；横長部位、１２ｃ：湾曲部位、１２ｄ：縁、１３：インジケータ、１３ａ：可視部、１３ｂ：隠蔽部、１４：目盛、１４ａ，１４ａ１，１４ａ２：目盛線、１４ｂ：数値、１５：不透明背景部、１６：情報記載欄、１７：サブインジケータ、１８：サブ目盛、１９ａ，１９ｂ，１９ｃ：情報、２０：液状栄養剤、２０ａ：液面、３０：スタンド、３１：フック、４１：バッグ側コネクタ、４２：チューブ、４３：クレンメ、Ｄ：対角線
【図１】
2017056091.tif 000003
【図２】
2017056091.tif 000004
【図３】
2017056091.tif 000005
【図４】
2017056091.tif 000006
【図５】
2017056091.tif 000007
【図６】
2017056091.tif 000008
【図７】
2017056091.tif 000009